(57)【特許請求の範囲】
【請求項１】
表面に、情報を表示する情報図柄が一体的に付されているコンクリート製品であって、
セメントと、該セメントとコントラストの異なる骨材とから構成され、
表面に、前記情報図柄の形状に凸部が形成されており、該凸部に前記骨材が露出している
ことを特徴とするコンクリート製品。
【請求項２】
前記骨材は、黒色骨材、着色骨材、蓄光材がコーティングされた骨材、および蓄光材を含有する骨材、のうちの一または二以上の組み合わせからなる
ことを特徴とする請求項１記載のコンクリート製品。
【請求項３】
前記セメントは、白色ポルトランドセメント、高炉セメント、アルミナセメント、白色の混和材料が混合されたセメント、および白色顔料が添加されたセメント、のうちの一または二以上の組み合わせからなる
ことを特徴とする請求項１または２記載のコンクリート製品。
【請求項４】
表面に、防水加工が施されている
ことを特徴とする請求項２または３記載のコンクリート製品。
【請求項５】
表面に、情報を表示する情報図柄が一体的に付されているコンクリート製品であって、
コントラストの異なる複数種類のコンクリートブロックが前記情報図柄の形状に配置されて構成されている
ことを特徴とするコンクリート製品。
【請求項６】
前記情報図柄は、二次元コードまたはピクトグラムである
ことを特徴とする請求項１、２、３、４または５記載のコンクリート製品。
【請求項７】
セメントと、該セメントとコントラストの異なる骨材とを混合したコンクリートを硬化させ、
表面に、情報を表示する情報図柄の形状に投射材を衝突させて、前記骨材を露出させる
ことを特徴とするコンクリート製品の製造方法。
【請求項８】
コンクリートを硬化させるにあたり、表面に、該コンクリートを構成するセメントとコントラストの異なる骨材を、情報を表示する情報図柄の形状に配置して、
前記骨材を露出させた状態で前記コンクリートを硬化させる
ことを特徴とするコンクリート製品の製造方法。
【発明の詳細な説明】
【技術分野】
【０００１】
本発明は、コンクリート製品に関する。さらに詳しくは、舗装ブロックや塀用ブロック、擁壁などのプレキャストコンクリート、および防波堤やビル壁面などの現場打ちコンクリートを含むコンクリート製品に関する。
【背景技術】
【０００２】
近年、ＱＲコード（登録商標）に代表される二次元コードを利用した防災情報提供システムの構築が試みられている。
この防災情報提供システムは、防災情報提供サイトのＵＲＬなどが記録された二次元コードをシートに付し、そのシートを市中の複数の場所に設けておき、震災などの災害時に市民が携帯電話で二次元コードを読み取り防災情報提供サイトにアクセスすることで、避難場所や避難ルートなどの情報を取得することを可能としている（例えば、特許文献１）。
【０００３】
しかるに、シートに付される二次元コードは、通常は数cm角の大きさのものである。このような大きさの二次元コードは、避難しようとする市民の注意を引くには小さいため、震災時に二次元コードが付されたシートに気が付くことができない場合がある。
【先行技術文献】
【特許文献】
【０００４】
【特許文献１】特開２００８−２０４４１５号公報
【発明の概要】
【発明が解決しようとする課題】
【０００５】
そこで、本願発明者は、二次元コードを大きく付すことにより注意を引くことを考えた。また、二次元コードに限らず、ピクトグラムなど他の情報図柄においても、大きく付すことにより注意を引くことができると考えた。そして、大きな情報図柄を付す対象として、一般に表面が広いコンクリート製品が適していることを見出した。
本発明は上記事情に鑑み、表面に情報図柄が付されたコンクリート製品を提供することを目的とする。
【課題を解決するための手段】
【０００６】
第１発明のコンクリート製品は、表面に、情報を表示する情報図柄が一体的に付されているコンクリート製品であって、セメントと、該セメントとコントラストの異なる骨材とから構成され、表面に、前記情報図柄の形状に凸部が形成されており、該凸部に前記骨材が露出していることを特徴とする。
第２発明のコンクリート製品は、第１発明において、前記骨材は、黒色骨材、着色骨材、蓄光材がコーティングされた骨材、および蓄光材を含有する骨材、のうちの一または二以上の組み合わせからなることを特徴とする。
第３発明のコンクリート製品は、第１または第２発明において、前記セメントは、白色ポルトランドセメント、高炉セメント、アルミナセメント、白色の混和材料が混合されたセメント、および白色顔料が添加されたセメント、のうちの一または二以上の組み合わせからなることを特徴とする。
第４発明のコンクリート製品は、第２または第３発明において、表面に、防水加工が施されていることを特徴とする。
第５発明のコンクリート製品は、表面に、情報を表示する情報図柄が一体的に付されているコンクリート製品であって、コントラストの異なる複数種類のコンクリートブロックが前記情報図柄の形状に配置されて構成されていることを特徴とする。
第６発明のコンクリート製品は、第１、第２、第３、第４または第５発明において、前記情報図柄は、二次元コードまたはピクトグラムであることを特徴とする。
第７発明のコンクリート製品の製造方法は、セメントと、該セメントとコントラストの異なる骨材とを混合したコンクリートを硬化させ、表面に、情報を表示する情報図柄の形状に投射材を衝突させて、前記骨材を露出させることを特徴とする。
第８発明のコンクリート製品の製造方法は、コンクリートを硬化させるにあたり、表面に、該コンクリートを構成するセメントとコントラストの異なる骨材を、情報を表示する情報図柄の形状に配置して、前記骨材を露出させた状態で前記コンクリートを硬化させることを特徴とする。
【発明の効果】
【０００７】
第１発明によれば、一般に表面が広いコンクリート製品に情報図柄を大きく付すことができるので、人の注意を引くことができる。また、情報図柄が一体的に付されているので、耐久性に優れる。また、凸部に骨材が露出しているので、凸部が磨耗しても情報図柄のコントラストを維持できる。
第２発明によれば、黒色骨材を用いることにより、セメントとのコントラストが強くなり情報図柄が認識しやすくなる。また、着色骨材を用いることにより、ピクトグラムなどに必要な様々な色合いを表現することができる。また、蓄光材がコーティングされた骨材、または蓄光材を含有する骨材を用いることにより、情報図柄の夜間の視認性を高めることができる。
第３発明によれば、白色のセメントを用いることにより、骨材とのコントラストが強くなり情報図柄が認識しやすくなる。
第４発明によれば、セメントが水に濡れることにより黒ずむことを防止できるので、骨材とのコントラストを維持でき情報図柄の認識性を維持できる。
第５発明によれば、コンクリートブロックのコントラストにより情報図柄を表示できる。
第６発明によれば、コンクリート製品に付された二次元コードを携帯端末などで読み取ることにより、文字列などの固定情報を提供できるほか、ウェブサイトを利用したリアルタイムの情報を提供することができる。また、コンクリート製品に付されたピクトグラムにより、直感的に情報を伝達することができる。
第７発明によれば、情報図柄の形状に骨材が露出するので、コンクリート製品に情報図柄が一体的に付される。
第８発明によれば、情報図柄の形状に骨材が露出するので、コンクリート製品に情報図柄が一体的に付される。
【図面の簡単な説明】
【０００８】
【図１】本発明の第１実施形態に係るコンクリート製品のイメージ図である。
【図２】部分洗い出し製法の説明図であって、（ａ）は洗い出しシートの説明図、（ｂ）はコンクリート製品の説明図である。
【図３】部分ブラスト製法の説明図であって、（ａ）はマスキングシートの説明図、（ｂ）はコンクリート製品の説明図である。
【図４】骨材転写製法の説明図であって、（ａ）は粘着シートの表面図、（ｂ）は粘着シートの断面図である。
【図５】骨材転写製法により形成されたコンクリート製品の断面図である。
【図６】（ａ）は第１実施形態に係るコンクリート製品の断面図、（ｂ）は第２実施形態に係るコンクリート製品の断面図である。
【発明を実施するための形態】
【０００９】
つぎに、本発明の実施形態を図面に基づき説明する。
（第１実施形態）
図１に示すように、本発明の第１実施形態に係るコンクリート製品は、防波堤１である。防波堤１は、海岸などにコンクリートを現場打ちすることにより形成される。
防波堤１の表面には、情報図柄として二次元コード１１およびピクトグラム１２が付されている。ここで、情報図柄とは、情報を表示する図柄であり、ピクトグラムのように人が直接情報を認識できる図柄のほか、二次元コードのように携帯端末などの装置でデコードすることにより人が情報を認識できるようになる図柄も含まれる。情報図柄としては、二次元コード、ピクトグラムのほか、文字、記号、地図、方位記号ども含まれる。
【００１０】
防波堤１に付された二次元コード１１を携帯端末などで読み取ることにより、二次元コード１１に記録された情報を取得することができる。二次元コード１１にウェブサイトのＵＲＬを記録しておけば、携帯端末などで二次元コード１１を読み取ってそのＵＲＬに該当するウェブサイトにアクセスできるので、ウェブサイトを利用したリアルタイムの情報を提供することができる。また、二次元コード１１に文字列などを記録しておけば、固定情報を提供することもできる。
また、防波堤１にピクトグラム１２が付されているので、人に直感的に情報を伝達することができる。
【００１１】
例えば、二次元コード１１に防災情報提供サイトのＵＲＬを記録しておけば、震災などの災害時に市民が携帯電話で二次元コード１１を読み取り防災情報提供サイトにアクセスすることで、避難場所や避難ルートなどの情報を取得することができる。また、ピクトグラム１２で避難方向などの情報を表示すれば、震災などの災害時に市民が素早く非難することができる。
【００１２】
また、一般に防波堤１は表面が広いので、二次元コード１１およびピクトグラム１２を大きく付すことができる。そのため、人の注意を引くことができる。また、防波堤１から離れた位置からでも確認することができる。例えば、防波堤１から離れた位置から二次元コード１１を読み取ることができる。
【００１３】
防波堤１を形成するコンクリートは、セメントと、そのセメントとコントラストの異なる骨材とから構成されたものである。そして、防波堤１の表面に、情報図柄１１、１２の形状に骨材が露出されている。そのため、防波堤１の表面の打ち放し部分（セメントで覆われた部分）と骨材の露出部分とのコントラストにより情報図柄１１、１２が認識可能となっている。また、防波堤１の表面に、情報図柄１１、１２が一体的に付されているので、塗装による表示と比べて耐久性に優れ、かつ安価に製造できる。
【００１４】
コンクリートに用いるセメントとしては、例えば、白色ポルトランドセメント、高炉セメント、アルミナセメントなどの白色度の高いセメントを用いることが好ましい。また、セメントに高炉スラグ微粉末、石灰石微粉末などの白色の（白色度の高い）混和材を混合したものを用いてもよいし、セメントに酸化チタンなどの白色顔料を添加したものを用いてもよい。これらのセメントを用いれば、打ち放し部分の白色度が高くなるので、骨材とのコントラストが強くなり情報図柄１１、１２が認識しやすくなる。
なお、これらのセメントのうちの一つを用いてもよいし、二以上の組み合わせを用いてもよい。
【００１５】
一方、セメントに混ぜられる骨材としては、例えば、黒色骨材、着色したセラミックスなどの着色骨材、蓄光材がコーティングされた骨材、蓄光材を含有する骨材などが挙げられる。
黒色骨材を用いることにより、白色度の高いセメントとのコントラストが強くなり情報図柄１１、１２が認識しやすくなる。また、着色骨材を用いることにより、ピクトグラムなどに必要な様々な色合いを表現することができるし、白黒の二次元コード以外にも、カラータイプの二次元コードを表現することができる。また、蓄光材がコーティングされた骨材、または蓄光材を含有する骨材を用いることにより、情報図柄１１、１２の夜間の視認性を高めることができる。
なお、これらの骨材のうちの一つを用いてもよいし、二以上の組み合わせを用いてもよい。
【００１６】
また、防波堤１の表面、特に情報図柄１１、１２が付されている部分には、防水剤を塗布するなどして防水加工を施すことが好ましい。
一般に、セメントは水に濡れると黒ずむ性質を有する。そのため、黒色骨材などを用いた場合、水に濡れるとセメントと骨材とのコントラストが弱くなる。この点、防水加工を施せば、セメントが水に濡れることにより黒ずむことを防止できるので、骨材とのコントラストを維持でき、情報図柄１１、１２の認識性を維持できる。
また、防水加工を施すことにより、表面に汚れが付着することも防止できる。そのため、汚れの付着により情報図柄１１、１２の認識性が低下することを防止できる。
【００１７】
なお、橋脚や床面など、侵食や摩耗を受けやすいコンクリート製品に本発明を適用する場合には、高強度コンクリートを使用することが好ましい。高強度コンクリートを使用することで、表面の打ち放し部分の侵食や摩耗により骨材が露出することを抑え、長期的に情報図柄１１、１２の維持が可能である。
【００１８】
つぎに、本実施形態に係るコンクリート製品の製造方法について説明する。
コンクリート製品の表面に骨材を露出することにより情報図柄を一体的に付す方法として、以下の３つの方法が挙げられる。
（１）部分洗い出し製法
（２）部分ブラスト製法
（３）骨材転写製法
以下、これらを順に説明する。なお、いずれの方法でも、プレキャストコンクリートおよび現場打ちコンクリートの両方のコンクリート製品を製造できる。
【００１９】
（１）部分洗い出し製法
図２（ａ）に示すように、まず、洗い出しシート２に情報図柄を表裏反転させた形状にコンクリート硬化遅延剤２１を塗布する。
つぎに、その洗い出しシート２をコンクリート製品の型枠の内面に張り付ける。このとき、型枠の内面のうち、情報図柄を付す面に相当する面に洗い出しシート２を張り付ける。また、コンクリート硬化遅延剤２１が塗布された面を型枠の内側に向ける。
つぎに、型枠内にコンクリートを打設する。ここで用いるコンクリートはセメントに、そのセメントとコントラストの異なる骨材が混ぜられたものであり、例えば、上記に例示したものである。
つぎに、コンクリートを養生硬化させる。この際、洗い出しシート２に接触する面には、情報図柄の形状にコンクリート硬化遅延剤２１が浸透するため、その部分は他の部分に比べて硬化が遅くなる。
コンクリートが硬化した後に型枠を外し、得られたコンクリート製品１の表面を高圧洗浄水やブラシなどで洗い出し、コンクリート硬化遅延剤２１による未硬化部分を除去する。そうすると、図２（ｂ）に示すように、情報図柄１１の形状に骨材が露出する。
【００２０】
（２）部分ブラスト製法
図３（ａ）に示すように、まず、鉄製やゴム製のマスキングシート３に情報図柄の形状に切抜部３１を形成する。この際、マスキングシート３の一部が島状となって抜け落ちてしまう場合には、他の部分と連結する橋部３２を残して切り抜くことが好ましい。特に二次元コードの形状に切抜部３１を形成する場合には、二次元コードのセル配列に対応するように格子状の橋部３２を形成し、各セルごとに選択的に切抜部３１を形成することが好ましい。
つぎに、型枠内にコンクリートを打設し、養生硬化させる。ここで用いるコンクリートはセメントに、そのセメントとコントラストの異なる骨材が混ぜられたものであり、例えば、上記に例示したものである。
コンクリートが硬化した後に型枠を外し、得られたコンクリート製品の表面にマスキングシート３を張り付ける。
つぎに、マスキングシート３の上から小鉄球や砂粒などの投射材を衝突させる。そうすると、図３（ｂ）に示すように、情報図柄１１の形状に骨材が露出する。
【００２１】
（３）骨材転写製法
図４（ａ）に示すように、まず、粘着シート４に情報図柄を表裏反転させた形状に骨材ａを粘着させる。ここで、図４（ｂ）に示すように、粘着シート４は、裏打ちシート４１の片面に粘着層４２を形成したものであり、その粘着層４２に骨材ａが粘着されている。
つぎに、その粘着シート４をコンクリート製品の型枠の内面に張り付ける。このとき、型枠の内面のうち、情報図柄を付す面に相当する面に粘着シート４を張り付ける。また、骨材ａが粘着された面を型枠の内側に向ける。
つぎに、型枠内にコンクリートを打設する。ここで用いるコンクリートに混合される骨材は特に限定はない。ただし、このコンクリートを構成するセメントと、粘着シート４に粘着される骨材ａとはコントラストが異なるものが選択される。例えば、上記に例示したものの組み合わせである。
つぎに、コンクリートを養生硬化させる。この際、粘着シート４に接触する面には、情報図柄の形状に骨材ａが配置され、埋め込まれる。
コンクリートが硬化した後に型枠を外し、粘着シートを剥がす。そうすると、図５に示すように、得られたコンクリート製品１の表面に情報図柄１１の形状に骨材ａが露出する。
【００２２】
以上のいずれの方法においても、コンクリート製品の表面に情報図柄の形状に骨材が露出するので、コンクリート製品に情報図柄を一体的に付すことができる。
【００２３】
（第２実施形態）
本発明の第２実施形態に係るコンクリート製品は、舗装ブロック２である。
図６（ａ）に示すように、前述の（１）部分洗い出し製法、（２）部分ブラスト製法でコンクリート製品を製造した場合、情報図柄の形状にセメントを除去して骨材を露出させるので、通常は骨材の露出部分ａは打ち放し部分ｃ（セメントで覆われた部分）に比べて凹んでいる。また（３）骨材転写製法でコンクリート製品を製造した場合、通常は骨材ａの露出部分は打ち放し部分ｃとほとんど高さが変わらない（図５参照）。
【００２４】
舗装ブロックは、その上を人や車両などが通行するため、表面が磨耗する恐れがある。そのため、打ち放し部分ｃのセメントが磨耗により除去されて骨材が露出することにより、情報図柄のコントラストを維持できなくなる可能性がある。
【００２５】
そこで、図６（ｂ）に示すように、本実施形態に係る舗装ブロック２は、その表面に情報図柄の形状に凸部２１が形成されており、その凸部２１に骨材ａが露出することにより情報図柄が付されている。また、表面の凹部２２のセメントｃは除去されていない。
【００２６】
舗装ブロック２の上を人や車両などが通行すると、凹部２２（打ち放し部分）より凸部２１が先に磨耗する。しかし、凸部２１が磨耗しても新たな骨材が露出するだけであり、情報図柄のコントラストを維持できる。
【００２７】
このような舗装ブロック２は前述の（１）部分洗い出し製法、（２）部分ブラスト製法、（３）骨材転写製法のいずれの方法でも製造することができる。
【００２８】
部分洗い出し製法で舗装ブロック２を製造する場合には、舗装ブロック２の型枠として、情報図柄の形状に凹部が形成されたものを用い、その凹部にコンクリート硬化遅延剤を塗布しておけばよい。
【００２９】
また、部分ブラスト製法で舗装ブロック２を製造する場合には、情報図柄の形状に凹部が形成された型枠を用いてコンクリートを硬化させた後に、形成された凸部２１に投射材を衝突させて骨材を露出させればよい。
【００３０】
また、骨材転写製法で舗装ブロック２を製造する場合には、情報図柄の形状に凹部が形成された型枠を用い、その凹部に骨材を粘着しておけばよい。
【００３１】
さらに、情報図柄の形状に凹部が形成された型枠を用いてコンクリートを硬化させた後に、形成された凸部２１をグラインダなどで研磨して骨材を露出させることによっても舗装ブロック２を形成することができる。
【００３２】
（第３実施形態）
上記実施形態においては、その表面に情報図柄１１、１２の形状に骨材を露出させることにより、情報図柄１１、１２が一体的に付されているが、これを、表面に情報図柄１１、１２の形状に凹凸を形成することで、情報図柄１１、１２を一体的に付すようにしてもよい。表面に形成された凹凸による陰影により情報図柄１１、１２を表示できる。
【００３３】
（第４実施形態）
また、コントラストの異なる複数種類のコンクリートブロックを情報図柄１１、１２の形状に配置することにより、コンクリート製品を構成してもよい。この場合でも、コンクリートブロックのコントラストにより情報図柄を表示できる。例えば、二次元コード１１を付す場合には、二次元コードのセル配列に対応するようにコンクリートブロックを配置し、各コンクリートブロックのコントラストで二次元コードを表現することが好ましい。
【００３４】
つぎに、上記コンクリート製品の具体的を例示する。
本発明は、舗装ブロックや塀用ブロック、擁壁などのプレキャストコンクリート、および防波堤やビル壁面などの現場打ちコンクリートを含むコンクリート製品に適用することができる。
【００３５】
本発明を海岸防波堤、河川護岸、道路法面保護材、ダムなどに適用した場合には、景観を損なうことなく情報図柄を大きく表示できる。そのため、遠くからでも情報図柄を認識できるようになり、より多くの人に注意喚起および情報提供が可能となる。特に災害時の避難誘導に効果的である。
【００３６】
また、本発明を道路擁壁に適用した場合には、景観を損なうことなく交通情報を表示するピクトグラムなどを付すことができる。そのため、車両の運転者などに交通情報などを提供できる。
【００３７】
また、本発明を歩道などの床面、標識板、宅地造成擁壁などに適用した場合には、歩行者、自転車利用者に対する各種情報の提供が可能となる。
【００３８】
また、本発明をビルの外壁に適用した場合には、景観を損なうことなく広告宣伝などが可能である。
【符号の説明】
【００３９】
１    コンクリート製品
１１  二次元コード
１２  ピクトグラム
２    洗い出しシート
２１  コンクリート硬化遅延剤
３    マスキングシート
３１  切抜部
３２  橋部
４    粘着シート
４１  裏打ちシート
４２  粘着層
【図２】
0005865122.tif 000002
【図３】
0005865122.tif 000003
【図４】
0005865122.tif 000004
【図５】
0005865122.tif 000005
【図６】
0005865122.tif 000006
【図１】
0005865122.tif 000007